(57)【要約】【課題】確実、且つ、効率的に買い物リストに記載された商品を購入する。【解決手段】リスト作成部５２が、ユーザが選択した献立を調理するために不足している食材とその量の情報、及びその食材を販売している店舗の名称と位置の情報が記載された買い物リストを作成し、経路探索部２１が、作成された買い物リストを参照して、食材を購入するために最適な買い物経路を算出し、算出した買い物経路に従ってユーザを誘導する。これにより、ユーザは、確実、且つ、効率的に商品リストに記載された商品を購入することができる。また、冷蔵庫２内に食材があるにも係わらず、食材を不要に買い足してしまうことを防止できる。【選択図】      図１
2005172743.tif 000002
【特許請求の範囲】
【請求項１】
所定の場所における物品の在庫を検出する第１の物品検出部と、
前記第１の物品検出部の検出結果に従って購入すべき物品を特定し、特定した物品を購入する店舗を検索する店舗検索部と、
前記店舗検索部によって検索された店舗を経由地とした買い物経路を算出し、算出した買い物経路に従って車両を誘導する経路探索部と
を備えることを特徴とする買い物経路誘導装置。
【請求項２】
前記経路探索部は、ユーザからの指示に従って、物品を購入するために要する時間が最短の買い物経路、物品の購入に必要な費用が最も安い買い物経路、及び店舗のタイムサービスが利用できる買い物経路のいずれか一つを算出することを特徴とする請求項１に記載の買い物経路誘導装置。
【請求項３】
前記経路探索部は、購入する物品に冷凍食品が含まれる場合、当該冷凍食品を購入する店舗が物品を購入する最後の店舗となるように買い物経路を算出することを特徴とする請求項１又は請求項２に記載の買い物経路誘導装置。
【請求項４】
購入された物品を検出する第２の物品検出部と、
前記第２の物品検出部によって検出された物品と前記店舗検索部によって特定された物品とを比較することにより、物品の買い忘れがあるか否かを判断する買い忘れ検出手段と、
前記買い忘れ検出部が物品の買い忘れがあると判断するのに応じて、物品の買い忘れがあることを報知する警告手段と
を備えることを特徴とする請求項１から請求項３のうち、いずれか１項に記載の買い物経路誘導装置。
【請求項５】
前記店舗検索部は、検索された店舗で物品が購入できないとの指示を受けるのに応じて、物品を購入可能な別の店舗を検索し、前記経路探索部は、検索された別の店舗が経由地に含まれるように買い物経路を再算出することを特徴とする請求項４に記載の買い物経路誘導装置。
【請求項６】
物品を購入可能な別の店舗が存在しない場合、物品の購入を依頼するメッセージデータを指定された送付先に送信する送信手段を備えることを特徴とする請求項５に記載の買い物経路誘導装置。
【請求項７】
前記第２の物品検出部は、店舗内のショッピングカートに設けられていることを特徴とする請求項４から請求項６のうち、いずれか１項に記載の買い物経路誘導装置。
【請求項８】
前記第１及び第２の物品検出部は、物品に備え付けられ、固有の識別子を記憶するＩＣタグと通信することにより物品を検出することを特徴とする請求項１から請求項７のうち、いずれか１項に記載の買い物経路誘導装置。
【請求項９】
前記店舗検索部は、指定された献立を調理するために必要な物品と前記第１の物品検出部が検出した物品とを比較することにより、購入すべき物品を特定することを特徴とする請求項１から請求項８のうち、いずれか１項に記載の買い物経路誘導装置。
【請求項１０】
所定の場所における物品の在庫を検出する処理と、
検出された物品の在庫に従って購入すべき物品を特定し、特定した物品を購入する店舗を検索する処理と、
検索された店舗を経由地とした買い物経路を算出し、算出した買い物経路に従って車両を誘導する処理と
をコンピュータに実行させることを特徴とする買い物経路誘導プログラム。
【発明の詳細な説明】
【技術分野】
【０００１】
本発明は、車両を利用して買い物に行く際の最適な走行経路を算出し、算出した走行経路に従って運転者を誘導する買い物経路誘導装置及び買い物経路誘導プログラムに関する。
【背景技術】
【０００２】
従来より、インターネットを介して冷蔵庫や食品庫の庫内にある食材を検出し、検出した食材を利用した献立情報を提供するシステムが知られており、このようなシステムによれば、ユーザは庫内にある食材を利用した献立を調理することができる（例えば、特許文献１を参照）。
【０００３】
ところで、上記システムでは、ユーザが所望の献立を選択するのに応じて、その献立を調理する上で不足している食材を扱っている店舗や価格を検索し、検索された店舗や価格を買い物リストとして提示することができる。
【特許文献１】特開２００２−９２１２０号公報（段落［０１４０］，図２１）
【発明の開示】
【発明が解決しようとする課題】
【０００４】
しかしながら、従来までのシステムは、食材を購入する店舗を提示するだけの構成であるので、店舗の位置がわからずに、ユーザが選択した献立を調理するために必要な食材を購入することができないことがある。さらに、従来までのシステムによれば、買い物リストに複数の店舗が記載されている場合には、どのような店舗の順番で買い物をすればよいかわからないので、ユーザが買い物を短時間で効率的に済ませることは困難であった。
【０００５】
本発明は、上記課題を解決するためになされたものであり、その目的は、確実、且つ、効率的に希望の商品を購入することを可能にする、買い物経路誘導装置及び買い物経路誘導プログラムを提供することにある。
【課題を解決するための手段】
【０００６】
上述の課題を解決するために、本発明に係る買い物経路誘導装置は、所定の場所における物品の在庫を検出し、検出された物品の在庫に従って購入すべき物品を特定し、特定した物品を購入する店舗を検索すし、検索された店舗を経由地とした買い物経路を算出し、算出した買い物経路に従って車両を誘導する。
【０００７】
また、上述の課題を解決するために、本発明に係る買い物経路誘導プログラムは、所定の場所における物品の在庫を検出する処理と、検出された物品の在庫に従って購入すべき物品を特定し、特定した物品を購入する店舗を検索する処理と、検索された店舗を経由地とした買い物経路を算出し、算出した買い物経路に従って車両を誘導する処理とをコンピュータに実行させる。
【発明の効果】
【０００８】
本発明に係る買い物経路誘導装置及び買い物経路誘導プログラムによれば、ユーザは、確実、且つ、効率的に希望の商品を購入することができる。
【発明を実施するための最良の形態】
【０００９】
以下、図面を参照して、本発明の第１及び第２の実施形態となる買い物経路誘導システムの構成と動作について説明する。
【実施例１】
【００１０】
本発明の第１の実施形態となる買い物経路誘導誘導システムは、ユーザが選択した献立を調理するために必要な食品とその食品を購入する店舗の位置が記載された買い物リストを作成し、作成した買い物リストに基づいて食品の最適な買い物経路をユーザに提示する処理に適用することができる。以下、図１〜図１０を参照して、本発明の第１の実施形態となる買い物経路誘導システムの構成と動作について説明する。
【００１１】
［買い物経路誘導システムの構成］
本発明の第１の実施形態となる買い物経路誘導システム１は、図１，２に示すように、ユーザの家庭に設置された冷蔵庫２と、ユーザが利用する車両３と、献立データベース（ＤＢ）４と、店舗情報データベース（ＤＢ）５と、買い物リスト作成サーバ６とを主な構成要素として備え、これらの構成要素はインターネット７を介して情報通信可能なように構成されている。なお、図２では、献立ＤＢ４と店舗情報ＤＢ５は買い物リスト作成サーバ６内に配置されているが、インターネット７を介して情報通信可能である限り、献立ＤＢ４と店舗情報ＤＢ５はどのような位置に配置されてもよい。
【００１２】
上記冷蔵庫２は、図２に示すように、冷蔵庫２内の食品に添付されたＩＣタグと通信することにより冷蔵庫２内にある食品を検出する食品検出部１１と、表示モニタ１２とユーザがコマンドを入力するための入力装置１３とを有する操作部１４と、インターネット７を介して各種情報を送受信する通信部１５とを備える。
【００１３】
上記車両３は、経路探索部２１によって探索された走行経路を表示モニタ２２に表示することより車両３を運転するユーザを誘導する経路誘導装置２３と、インターネット７を介して各種情報を送受信する通信部２４とを備える。
【００１４】
上記献立ＤＢ４は、複数の献立情報と各献立の調理に必要な食材の名称と量の情報を関連付けして記憶する献立ＤＢ本体３１と、入力される食材の名称と量に基づいてその食材を利用した献立情報を献立ＤＢ本体３１から検索，抽出する献立検索部３２とを備える。また、上記店舗情報ＤＢ５は、食品名とその価格の情報、その食品が冷凍食品であるか否かの情報、タイムサービスの情報等の情報を記憶する食品価格データベース（ＤＢ）４１と、食品価格ＤＢ４１を利用して食品を検索する食品検索部４２と、食品価格ＤＢ４１に記憶された食品を販売している店舗の名称とその位置の情報を記憶する店舗位置データベース（ＤＢ）４３と、店舗位置ＤＢ４３を利用して店舗を検索する店舗検索部４４とを備える。なお、この店舗情報ＤＢ５の内部構成については後述する。
【００１５】
上記買い物リスト作成サーバ６は、ユーザが選択した献立情報を調理する上で不足している食品とその量を検出する不足食品検出部５１と、店舗情報ＤＢ５を利用して購入すべき食品の情報及びその食品を購入する店舗の名称と位置の情報が記載された買い物リストを作成するリスト作成部５２と、インターネット７を介して各種情報を送受信するための通信部５３とを備える。
【００１６】
ここで、この実施形態では、食品価格ＤＢ４１と店舗位置ＤＢ４３は統合され、図３に示すように、各店舗の位置情報，取り扱っている食品の名称の情報，食品の価格の情報，冷凍食品であるか否かの種別情報，及びタイムサービス情報（タイムサービスが実施される時間帯とその時間帯における食品の価格）により構成されている。また、店舗位置ＤＢ４３は、ユーザの自宅位置に応じて、自宅から各店舗までの距離や所要時間が算出可能なように構成されている。具体的には、この実施形態では、Ａ店の位置情報として、冷蔵庫２が設置されたユーザの自宅からの距離及び所要時間がそれぞれ２ｋｍ及び５分，経度／緯度はＸ１／Ｙ１である旨の情報が記憶されている。また、Ａ店の取り扱い食品情報として、大根，キャベツ，にんじん，なすがそれぞれ、￥１００，￥１５０，￥１８０，￥２５０である旨の情報が記憶されている。また、Ｃ店の冷凍食品情報として、鮪，牛肉，アイスが冷凍食品である旨の情報が記憶されている。さらに、Ｂ店のタイムサービス情報として、鯵がタイムサービス対象商品であって、１６：００〜１７：３０の時間帯であれば価格が￥１００から￥５０になる旨の情報が記憶されている。なお、一般に、これらの情報は日々変化するため、各店舗が、インターネット７を介して店舗情報ＤＢ５にアクセスし、自身の店舗に関する情報を適宜更新できるようにすることが望ましい。
【００１７】
なお、上記食品検出部１１，上記買い物リスト作成サーバ６，上記経路探索部２１は、本発明に係る物品検出部，店舗検索部，及び経路探索部として機能する。
【００１８】
［買い物経路誘導システムの動作］
このような構成を有する買い物経路誘導システム１は、以下に示す誘導処理を実行することにより、ユーザが、確実、且つ、効率的に買い物リストに記載された食品を購入できるようにする。以下、図４に示すフローチャートを参照して、この誘導処理を実行する際の買い物経路誘導システム１の動作について説明する。
【００１９】
図４に示すフローチャートは、ユーザが冷蔵庫２の入力装置１３を操作して誘導処理の開始を指示するのに応じてスタートとなり、この誘導処理はステップＳ１の処理に進む。
【００２０】
ステップＳ１の処理では、食品検出部１１が、ユーザの冷蔵庫２内にある食材（以下、在庫食材と表記）及びその量を検出する。これにより、このステップＳ１の処理は完了し、この誘導処理はステップＳ１の処理からステップＳ２の処理に進む。
【００２１】
ステップＳ２の処理では、通信部１５が、食品検出部１１が検出した在庫食材及びその量の情報を在庫食材情報として献立検索部３２と不足食品検出部５１に送信する。これにより、このステップＳ２の処理は完了し、この誘導処理はステップＳ２の処理からステップＳ３の処理に進む。
【００２２】
ステップＳ３の処理では、献立検索部３２が、通信部５３を介して通信部１５が送信した在庫食材情報を受信する。これにより、このステップＳ３の処理は完了し、この誘導処理はステップＳ３の処理からステップＳ４の処理に進む。
【００２３】
ステップＳ４の処理では、献立検索部３２が、献立ＤＢ本体３１を参照して、受信した在庫食材情報を参照して、冷蔵庫２内の食材を利用した献立情報を所定数抽出する。なお、この処理の際、献立検索部３２は、過去に抽出した献立情報を参照する等して、同じユーザに対し同じ献立が続けて抽出されないようにすることが望ましい。これにより、このステップＳ４の処理は完了し、この誘導処理はステップＳ４の処理からステップ５の処理に進む。
【００２４】
ステップＳ５の処理では、献立検索部３２が、通信部５３を介して、抽出した献立情報を通信部１５に送信する。なお、この図４に示す誘導処理では、ユーザが冷蔵庫２の入力装置１３を操作して誘導処理の開始を指示したために、献立検索部３２は、抽出した献立情報を通信部１５に送信するが、車両３から誘導処理の開始が指示された場合には、献立検索部３２は抽出した献立情報を通信部２４に送信する。これにより、このステップＳ５の処理は完了し、この誘導処理はステップＳ５の処理からステップＳ６の処理に進む。
【００２５】
ステップＳ６の処理では、通信部１５が、献立検索部３２から送信された献立情報を受信し、表示モニタ１２が、受信した献立情報を可視表示する。これにより、このステップＳ６の処理は完了し、この誘導処理はステップＳ６の処理からステップＳ７の処理に進む。
【００２６】
ステップＳ７の処理では、通信部１５が、ユーザが入力装置１３を操作して表示された献立情報の中から所望の献立情報を選択するのに応じて、選択された献立情報を献立検索部３２に送信する。なお、以下では、説明の簡略化のために、ユーザが表示された献立情報の中から所望の献立情報を一つ選択したとして話を進めるが、ユーザは同時に複数の献立情報を選択してもよく、この場合、各献立情報について以下の処理が同時に行われるものとする。これにより、このステップＳ７の処理は完了し、この誘導処理はステップＳ７の処理からステップＳ８の処理に進む。
【００２７】
ステップＳ８の処理では、献立検索部３２が、通信部５３を介してユーザが選択した献立情報を受信する。これにより、このステップＳ８の処理は完了し、この誘導処理はステップＳ８の処理からステップＳ９の処理に進む。
【００２８】
ステップＳ９の処理では、献立検索部３２が、献立ＤＢ本体３１を参照して、ユーザが選択した献立を調理する上で必要な食材とその量の情報を抽出し、抽出した食材とその量の情報を不足食品検出部５１に送信する。これにより、このステップＳ９の処理は完了し、この誘導処理はステップＳ９の処理からステップＳ１０の処理に進む。
【００２９】
ステップＳ１０の処理では、不足食品検出部５１が、ユーザが選択した献立を調理するために必要な食材とその量の情報を献立検索部３２から受信する。これにより、このステップＳ１０の処理は完了し、この誘導処理はステップＳ１０の処理からステップＳ１１の処理に進む。
【００３０】
ステップＳ１１の処理では、不足食品検出部５１が、在庫食材情報と献立検索部３２から受信した情報とを比較することにより、ユーザが選択した献立を調理する上で不足している食材とその量の情報を抽出し、抽出した情報をリスト作成部５２に入力する。これにより、このステップＳ１１の処理は完了し、この誘導処理はステップＳ１１の処理からステップＳ１２の処理に進む。
【００３１】
ステップＳ１２の処理では、不足食品検出部５１が、ユーザが選択した献立を調理する上で不足している食材を販売している店舗を検索することを要求する検索クエリを店舗情報ＤＢ５に入力する。これにより、このステップＳ１２の処理は完了し、この誘導処理はステップＳ１２の処理からステップＳ１３の処理に進む。
【００３２】
ステップＳ１３の処理では、店舗情報ＤＢ５が、ユーザが選択した献立を調理する上で不足している食材を販売している店舗の名称と位置の情報をリスト作成部５２に入力する。これにより、このステップＳ１３の処理は完了し、この誘導処理はステップＳ１３の処理からステップＳ１４の処理に進む。
【００３３】
ステップＳ１４の処理では、リスト作成部５２が、ユーザが選択した献立を調理する上で不足している食材とその量の情報とその食材を販売している店舗の名称と位置の情報（店舗の位置，自宅から店舗までの距離や所要時間等）を図５に示すような買い物リストとしてユーザが利用する車両３に送信する。なお、図５に示す買い物リストには、自宅出発後、始めに、○○スーパーで￥１００の卵を１パック，￥１５０の豆腐を２パック，￥９８の大根を１／２本購入し、次に、××八百屋で￥１３０のゴーヤを１本，￥２００のかぼすを２個購入し、最後に、□□魚屋で￥１５０の秋刀魚を３匹購入する旨が記載されている。これにより、このステップＳ１４の処理は完了し、この誘導処理はステップＳ１４の処理からステップＳ１５の処理に進む。
【００３４】
ステップＳ１５の処理では、通信部２４が、リスト作成部５２から送信された買い物リストを受信する。これにより、このステップＳ１５の処理は完了し、この誘導処理はステップＳ１５の処理からステップＳ１６の処理に進む。
【００３５】
ステップＳ１６の処理では、経路探索部２１が、通信部２４が受信した買い物リストの情報に従って、買い物リスト内に記載されている店舗を経由地，自宅を目的地とした買い物経路を算出し、算出した買い物経路と買い物リストを表示モニタ２２に表示することにより、ユーザが選択した献立を調理する上で不足している食材を最適な走行経路で購入できるように誘導する。なお、買い物リストは表示モニタ２２に常時表示する必要はなく、ユーザが買い物リストに記載された店舗に到着して降車する時等のタイミングで、到着した店舗で購入する商品を確認する意味を込めて、表示モニタ２２に表示するようにしてもよい。また、携帯電話等のユーザが携帯する端末装置に買い物リストを送信し、ユーザが店舗内でも買い物リストの内容を確認できるようにしてもよい。これにより、このステップＳ１６の処理は完了し、一連の誘導処理は終了する。
【００３６】
なお、買い物に要する時間を最短にする時間優先，買い物に要する費用を安価にする価格優先，店舗のタイムサービスを優先するタイムサービス優先のいずれかの優先項目を優先して買い物を行うかをユーザが選択できるようにし、経路探索部２１は、選択された項目に従ってステップＳ１６の処理において算出した走行経路を変更することが望ましい。以下、図６に示すフローチャートを参照して、この経路変更処理を実行する際の経路探索部２１の動作について詳しく説明する。
【００３７】
図６に示すフローチャートは、ステップＳ１５の処理が完了するのに応じて開始となり、この経路変更処理はステップＳ２１の処理に進む。
【００３８】
ステップＳ２１の処理では、経路探索部２１が、表示モニタ２２にメッセージデータを表示することにより、時間優先，価格優先，タイムサービス優先のどの項目を優先して買い物を行うかを選択するようにユーザに促す。これにより、このステップＳ２１の処理は完了し、この経路変更処理はステップＳ２１の処理からステップＳ２２の処理に進む。
【００３９】
ステップＳ２２〜ステップＳ２４の処理では、経路探索部２１が、ユーザが優先項目を選択するのに応じて、選択された優先項目が時間優先，価格優先，タイムサービス優先のいずれであるかを判別する。そして、経路探索部２１は、選択された項目が時間優先である場合はステップＳ２５の処理、価格優先である場合はステップＳ２６の処理、タイムサービス優先である場合はステップＳ２７の処理に経路変更処理を進める。
【００４０】
ステップＳ２５の処理では、経路探索部２１が、通信部２４を介して店舗情報ＤＢ５に接続し、ユーザの自宅から買い物リストに記載されいている店舗までの距離や到達時間が最も短く、且つ、買い物リストに記載されている全ての商品を購入することが可能な経路を検索する。具体的には、買い物リストに記載されている商品がキャベツ，鮪，牛肉の三つであった場合、経路探索部２１は、この三つの商品を取り扱っている店舗の中で最も自宅からの位置が近い店舗を店舗情報ＤＢ５の中から抽出する。例えば、店舗情報ＤＢ５が図３に示す形態である場合には、キャベツはＡ店とＣ店で取り扱っているが、経路探索部２１は自宅からの距離や所要時間が短い方のＡ店を選択する。しかしながら、牛肉はＣ店でしか購入することができないため、Ａ店とＣ店の２店舗を経由するより、Ｃ店でキャベツと牛肉を購入した方が買い物時間が短くなるために、経路探索部２１は、Ｃ店でキャベツを購入するように経路を決定する。また、鮪も同様に、経路探索部２１は、自宅からの距離や所要時間が短いＢ店を抽出するが、鮪はＣ店でも購入することができるために、Ｃ店で鮪を購入するように経路を決定する。この結果、全商品がＣ店のみで購入可能になるので、図７に示すような自宅からＣ店までの走行経路が算出され、買い物時間を短縮することができる。これにより、このステップＳ２５の処理は完了し、この経路変更処理はステップＳ２５の処理からステップＳ２８の処理に進む。
【００４１】
ステップＳ２６の処理では、経路探索部２１が、通信部２４を介して店舗情報ＤＢ５と接続する。そして、経路探索部２１は、ユーザの自宅からの距離、又は、到達時間が所定距離（例えば１５ｋｍ）内、又は、所定時間（例えば２０分）内の店舗で商品を最安値で販売している店舗を検索し、検索された店舗を経由し、且つ、買い物リストに記載されいている全ての商品を購入することが可能な経路を探索する。具体的には、買い物リストに記載されている商品がキャベツ，鮪，牛肉の三つであり、店舗情報ＤＢ５が図３に示す形態である場合には、キャベツはＡ店とＣ店で取り扱っているが、経路探索部２１は価格の安い方のＡ店を選択する。また、鮪も同様に、経路探索部２１はＢ店とＣ店で価格の安い方のＢ店を選択する。一方、牛肉はＣ店でしか購入することができないために、経路探索部２１は牛肉を購入する店としてＣ店を選択する。この結果、図８に示すようなＡ店→Ｂ店→Ｃ店→自宅の順番で走行する経路が算出され、買い物の費用を安くすることができる。これにより、このステップＳ２６の処理は完了し、この経路変更処理はステップＳ２６の処理からステップＳ２８の処理に進む。
【００４２】
ステップＳ２７の処理では、経路探索部２１が、通信部２４を介して店舗情報ＤＢ５と接続する。そして、経路探索部２１は、ユーザの自宅からの距離、又は、到達時間が所定距離内、又は、所定時間内の店舗でタイムサービスが利用できる店舗を検索し、タイムサービスが利用できる時間帯にその店舗を経由し、且つ、買い物リストに記載されいている全ての商品を購入することが可能な経路を探索する。具体的には、買い物リストに記載されている商品がキャベツ，鮪，牛肉の三つであり、店舗情報ＤＢ５が図３に示す形態である場合、キャベツはＡ店とＣ店で取り扱っているが、タイムサービスを利用することができるのはＣ店で且つ価格も安い。しかしながら、価格の安い時間帯は１０：００〜１２：００であるため、経路探索部２１は、午前中の買い物であればＣ店を選択し、午後の買い物であれば価格が安い方のＡ店を選択する。同様に、鮪はＢ店とＣ店で取り扱っているが、タイムサービスを利用できるのはＣ店で且つ価格も安い。しかしながら、価格の安い時間帯は１７：３０〜１９：００であるため、経路探索部２１は、夕方の買い物であればＣ店を選択し、それ以外の時間帯であれば価格が安い方のＢ店を選択する。一方、牛肉はＣ店でしか購入することができないために、経路探索部２１は、牛肉を購入する店舗としてＣ店を選択する。この結果、経路探索部２１は、１０：００〜１２：００の間にＣ店に行ける時間帯であれば、図９（ａ）に示すようなＡ店→Ｃ店→自宅の順番で走行する経路を算定し、１７：３０〜１９：００にＣ店に行ける時間帯であれば、図９（ｂ）に示すようなＢ店→Ｃ店→自宅の順番で走行する経路を算出し、タイムサービスの時間帯を合わせた走行経路を算出することができる。これにより、このステップＳ２７の処理は完了し、この経路変更処理はステップＳ２７の処理からステップＳ２８の処理に進む。
【００４３】
ステップＳ２８の処理では、経路探索部２１が、買い物リスト内に記載されている商品の中に冷凍食品が含まれるか否かを判別する。そして、判別の結果、冷凍食品が含まれない場合、経路探索部２１は、この経路変更処理をステップＳ２８の処理からステップＳ３０の処理に進める。一方、冷凍食品が含まれる場合には、経路探索部２１は、この経路変更処理をステップＳ２８の処理からステップＳ２９の処理に進める。
【００４４】
ステップＳ２９の処理では、経路探索部２１が、冷凍食品を購入する店舗が帰宅直前の経由地となるように探索された経路を変更する。具体的には、Ａ店，Ｂ店，Ｃ店を経由地とし、且つ、Ｃ店で冷凍食品を購入する場合、経路探索部２１は、図１０（ａ）に示すように、Ａ店→Ｂ店→Ｃ店→自宅の順番で走行する経路を作成する。また、キャベツ，冷凍鮪，牛肉が買い物リストに記載されている場合、冷凍食品が二品あり、且つ、冷凍食品以外のキャベツもＣ店で購入する可能であるため、経路探索部２１は、図１０（ｂ）に示すように、Ｃ店→自宅の順番で走行する経路を算出することにより、冷凍食品が常温にさらされる時間を最小限に抑え、冷凍食品が解凍されることを防止できる。これにより、このステップＳ２９の処理は完了し、この経路変更処理はステップＳ２９の処理からステップＳ３０の処理に進む。
【００４５】
ステップＳ３０の処理では、経路探索部２１が、算出された走行経路を表示モニタ２２に表示し、算出した走行経路を走行するように車両３を運転するユーザの誘導を開始する。これにより、このステップＳ３０の処理は完了し、一連の経路変更処理は終了する。
【００４６】
なお、この実施形態では、買い物経路を探索する機能を車両３に設けているが、本発明はこの構成に限られることはなく、買い物リスト作成サーバ６や店舗情報ＤＢ５にこの機能を持たせてもよい。但し、この場合には、算出された買い物経路情報は、買い物リストと共に車両３に送信されるものとする。
【００４７】
以上の説明から明らかなように、本発明の第１の実施形態となる買い物経路誘導システムによれば、リスト作成部５２が、ユーザが選択した献立を調理するために不足している食材とその量の情報、及びその食材を販売している店舗の名称と位置の情報が記載された買い物リストを作成し、経路探索部２１が、作成された買い物リストを参照して、食材を購入するために最適な買い物経路を算出し、算出した買い物経路に従ってユーザを誘導するので、ユーザは、確実、且つ、効率的に商品リストに記載された商品を購入することができる。また、冷蔵庫２内に食材があるにも係わらず、食材を不要に買い足してしまうことを防止できる。
【００４８】
また、本発明の第１の実施形態となる買い物経路誘導システムによれば、経路探索部２１が、ユーザからの指示に従って、物品を購入するために要する時間が最短の買い物経路、物品の購入に必要な費用が最も安い買い物経路、及び店舗のタイムサービスが利用できる買い物経路のいずれか一つを算出するので、ユーザの目的に合わせた買い物経路を提示することができる。
【００４９】
さらに、本発明の第１の実施形態となる買い物経路誘導システムによれば、購入する物品に冷凍食品が含まれる場合、経路探索部２１が、冷凍食品を購入する店舗が物品を購入する最後の店舗となるように買い物経路を算出するので、自宅まで帰るまでの間に冷凍食品が解凍されてしまうことを防止できる。
【００５０】
なお、この第１の実施形態では、冷蔵庫２の在庫食材に基づいて買い物リストを作成したが、例えば図１１，図１２に示すように、ビールストッカー，電球ソケット，洗面台，雑貨棚，トイレットペーパーホルダー，テレビ台（ビデオテープ置き場），ランドリーバスケット等、冷蔵庫２以外の場所における商品の在庫を検出し、この検出結果を考慮して買い物リストを作成するようにしてもよい。この場合、具体的には、買い物リスト作成サーバ６は、図１３のフローチャートに示すように、冷蔵庫２内の在庫食品をチェックした後（ステップＳ３１）、各場所に設けられた検出部の検出結果に従って、ビールストッカー内のビールの在庫が所定数以上であるか否か（ステップＳ３２），電球の球切れはないか否か（ステップＳ３４），洗面台の歯磨き粉は残っているか否か（ステップＳ３６），雑貨棚の在庫は揃っているか否か（ステップＳ３８），トイレットペーパーは残っているか否か（ステップＳ４０），未返却のレンタルビデオはないか否か（ステップＳ４２），ランドリーバスケット内に洗濯物は溜まっていないか否か（ステップＳ４４）を判別する。なお、この場合、商品の在庫は、商品に取り付けられたＩＣタグとの通信の可否によって検出することができる。また、電球の球切れは、電球ソケットにシャント抵抗を設けることにより検出することができる。
【００５１】
そして、買い物リスト作成サーバ６は、判別結果に従って、酒屋，電気屋，ドラッグストア，ホームセンター，雑貨屋，レンタルビデオ屋，クリーニング屋を経由する必要性があるか否かを判断して買い物リストを作成し、経路探索部２３は、買い物リスト作成サーバ６が作成した買い物リストに従って、例えば図１４（ａ），（ｂ）に示すような買い物経路を決定する。なお、図１４（ａ）に示す例は、ビールストッカー内のビールの在庫が所定数以下で、且つ、洗面台の歯磨き粉がなく、且つ、トイレットペーパーが残っていないために、経路探索部２３が、酒屋，ドラッグストア，及び雑貨屋を経由地とした買い物経路を算出した場合を示す。また、図１４（ｂ）に示す例は、電球の球切れがあり、且つ、未返却のレンタルビデオがあり、且つ、ランドリーバスケット内に洗濯物が溜まっているために、経路探索部２３が、電気屋，レンタルビデオ屋，及びクリーニング屋を経由地とした買い物経路を算出した場合を示す。
【実施例２】
【００５２】
本発明の第２の実施形態となる買い物経路誘導システムは、買い物リストに記載された食品の買い忘れを防止する処理に適用することができる。以下、図１５〜図１７を参照して、本発明の第２の実施形態となる買い物経路誘導システムの構成と動作について説明する。
【００５３】
［買い物経路誘導システムの構成］
本発明の第２の実施形態となる買い物経路誘導システム６１は、図１５，１６に示すように、車両３の構成と携帯電話機６２を備える点が本発明の第１の実施形態となる買い物経路誘導システム１の構成とは異なる。そこで、以下では、車両３と携帯電話機６２の構成についてのみ説明し、その他の構成要素の説明は省略する。
【００５４】
本発明の第２の実施形態となる買い物経路誘導システム６１では、車両３は、第１の実施形態となる買い物経路誘導システム１における構成要素に加え、車両３のドア周部やトランク開口部周辺に設けられ、車両３に持ち込まれた食品を検出する食品検出部２５と、食品検出部２５が検出した食品と買い物リストに記載された食品とを比較することにより、買い物リストに記載された店舗での食品の買い忘れがないか否かを判断する買い忘れ判断部２６と、買い忘れ判断部２６が買い忘れがあると判断した場合、食品の買い忘れがある旨をユーザに報知する警報装置２７と備える。また、上記携帯電話機６２は、インターネット７を介したて各種情報を送受信する通信部６３を備えると共に、買い物リストに記載された食品が売り切れ、若しくは、品質が悪かった場合に、外出中の家族等に食品の購入を依頼するための購入依頼メッセージデータ６４を記憶している。なお、上記食品検出部２５，買い忘れ判断部２６，警報装置２７，及び携帯電話機６２は、本発明に係る第２の物品検出部，買い忘れ判断手段，警報手段，及び送信手段として機能する。
【００５５】
［買い物誘導経路システムの動作］
このような構成を有する買い物経路誘導システム６１は、以下に示す警報処理を実行することにより、ユーザが買い物リストに記載された食品を買い忘れることを防止する。以下、図１７に示すフローチャートを参照して、この警報処理を実行する際の買い物誘導経路システム６１の動作について説明する。なお、買い物経路を算出までの処理は、図４に示す第１の実施形態となる買い物経路誘導システム１の動作と同じであるので、以下では買い物経路に従ってユーザの誘導を開始してからの処理について説明する。
【００５６】
図１７に示すフローチャートは、ユーザが誘導経路に従って車両３の走行を開始するのに応じて開始となり、この警報処理は、ステップＳ５１の処理に進む。
【００５７】
ステップＳ５１の処理では、経路誘導装置２３が、買い物リストに記載された店舗に到着したか否かを判別する。そして、買い物リストに記載された店舗に到着したと判別するのに応じて、経路誘導装置２３は、この警報処理をステップＳ５１の処理からステップＳ５２の処理に進める。
【００５８】
ステップＳ５２，Ｓ５３の処理では、経路誘導装置２３が、ユーザが店舗での買い物を完了したか否かを判断するために、ユーザが降車した後、再び乗車したか否かを判別する。そして、ユーザが降車した後、再び乗車するのに応じて、経路誘導装置２３は、この警報処理をステップＳ５４の処理に進める。
【００５９】
ステップＳ５４の処理では、食品検出部２５が、買い物リストを参照して、到着した店舗で購入すべき食品が全て車両３内に持ち込まれたか否かを判別する。そして、食品が全て車両３内に持ち込まれたと判別した場合、食品検出部２５は、この警報処理をステップＳ６１の処理に進める。一方、商品が全て車両３内に持ち込まれていないと判別した場合には、食品検出部２５は、この警報処理をステップＳ５４の処理からステップＳ５５の処理に進める。
【００６０】
ステップＳ５５の処理では、買い忘れ判断部２６が、警報装置を制御することにより、買い忘れている商品がある旨をユーザに報知する。これにより、このステップＳ５５の処理は完了し、この警報処理はステップＳ５５の処理からステップＳ５６の処理に進む。
【００６１】
ステップＳ５６の処理では、買い忘れ判断部２６が、ユーザからの入力に従って、車両３内に持ち込まれていない商品が売り切れている、若しくは、商品の品質が悪かったか否かを判別する。そして、売り切れていない、若しくは、品質が悪くない場合、買い忘れ判断部２６は、この警報処理をステップＳ５６の処理からステップＳ５２の処理に戻す。一方、売り切れている、若しくは、品質が悪かった場合には、買い忘れ判断部２６は、この警報処理をステップＳ５６の処理からステップＳ５７の処理に進める。
【００６２】
ステップＳ５７の処理では、買い忘れ判断部２６が、通信部２４を介して買い物リスト作成サーバ６に接続し、売り切れ、若しくは、品質が悪かった商品を購入可能な別の店舗を検索する。これにより、このステップＳ５７の処理は完了し、この警報処理はステップＳ５７の処理からステップＳ５８の処理に進める。
【００６３】
ステップＳ５８の処理では、買い忘れ判断部２６が、検索された別の店舗が買い物経路付近に存在するか否かを判別する。そして、判別の結果、検索された店舗が買い物経路付近に存在する場合、経路探索部２１は、ステップＳ５９の処理として、検索された店舗を経由地とするように買い物経路を再演算した後、この警報処理をステップＳ５１の処理に戻す。一方、検索された店舗が買い物経路付近に存在しない場合には、ステップＳ６０の処理として、携帯電話機６２が、ユーザからの指示に応じて、売り切れ商品の購入を依頼する購入依頼メッセージデータを所定の送信先に送信した後、この警報処理はステップＳ６１の処理に進む。
【００６４】
ステップＳ６１の処理では、経路探索部２１が、到着した店舗が買い物経路の中の最後の店舗であるか否かを判別する。そして、到着した店舗が買い物経路の中の最後の店舗でない場合、経路探索部２１は、警報処理をステップＳ６１の処理からステップＳ５１の処理に戻す。一方、到着した店舗が買い物経路の中の最後の店舗である場合には、経路探索部２１は、警報処理をステップＳ６１の処理からステップＳ６２の処理に進める。
【００６５】
なお、この第２の実施形態となる買い物経路誘導システム６１では、ユーザが購入した食品を検出する食品検出部２５を車両３に設けたが、この場合、買い忘れを報知されたとしても、ユーザは、車両から食品の売り場まで再び戻らなければならない。そこで、例えば図１８に示すように、ショッピングカート７２に、ユーザが購入した商品を検出する検出装置７３と、買い物リストを受信する受信装置７４とを設けるようにすることが望ましい。このような構成によれば、店舗でのレジ精算が終了した時点で、受信装置７４が、ショッピングカート７２内の商品と買い物リストに記載された商品を比較して買い忘れを報知することにより、ユーザは、車両から食品売り場まで戻る必要がなくなり、買い忘れた食品を簡単に購入することができる。
【００６６】
以上の説明から明らかなように、本発明の第２の実施形態となる買い物経路誘導システム６１によれば、食品検出部２５が、車両３内に持ち込まれた食品を検出し、買い忘れ判断部２６が、食品検出部２５が検出した食品と買い物リストに記載された食品とを比較することにより、買い物リストに記載された店舗での食品の買い忘れがないか否かを判断し、買い忘れ判断部２６が買い忘れがあると判断した場合、警報装置２７が、買い忘れがある旨をユーザに報知する。そして、このような構成によれば、ユーザが、買い物リストに記載された食品を買い忘れ、帰宅後に買い忘れた食品を買いに再度店舗まで行くことを防止できる。
【００６７】
また、本発明の第２の実施形態となる買い物経路誘導システム６１によれば、食品が売り切れていたり、食品の品質が悪い等の理由によってユーザが買い物リストに記載された食品を購入できなかった場合、経路探索部２１が、その食品の購入可能な別の店舗を検索し、検索された別の店舗への経路を案内するので、選択した献立を調理するために必要な食品を確実に揃えることができる。
【００６８】
さらに、本発明の第２の実施形態となる買い物経路誘導システム６１によれば、買い物リストに記載された食品を購入することができない場合、ユーザからの指示に応じて、携帯電話機６２が、その食品の購入を依頼するメッセージデータを所定の送信先に送信するので、ユーザは、選択した献立を調理するために必要な食材を確実に揃えることができる。
【００６９】
また、本発明の第２の実施形態となる買い物経路誘導システム６１によれば、ショッピングカート７２に、ユーザが購入した商品を検出する検出装置７３がショッピングカート７２に設けられているので、店舗内の売り場で食品の買い忘れを検出し、ユーザが車両から食品売り場まで戻ることを防止することができる。
【００７０】
以上、本発明者らによってなされた発明を適用した実施の形態について説明したが、この実施の形態による本発明の開示の一部をなす論述及び図面により本発明は限定されることはない。例えば、上記携帯電話機６２に、冷蔵庫２の在庫食材を確認して、献立情報や買い物リストを作成する機能を備えてもよい。このような構成によれば、店舗で食品を見ている際にユーザが献立の変更を思いついた場合であっても、冷蔵庫２の在庫食材と店舗で購入した食材とを利用した献立情報を入手することができる。また、食材の不要な買いだめを無くし、経済的な買い物をすることができる。このように、この実施の形態に基づいて当業者等によりなされる他の実施の形態、実施例及び運用技術等は全て本発明の範疇に含まれることは勿論であることを付け加えておく。
【図面の簡単な説明】
【００７１】
【図１】本発明の第１の実施の形態となる買い物経路誘導システムの構成を示す模式図である。
【図２】図１に示す買い物経路誘導システムの内部構成を示すブロック図である。
【図３】図１に示す店舗情報データベースの一例を示す図である。
【図４】図１に示す買い物経路誘導システムの動作を示すフローチャート図である。
【図５】本発明の一実施形態となる買い物リストの一例を示す図である。
【図６】ユーザが指定した優先項目に従って買い物経路を算出する際の処理の流れを示すフローチャート図である。
【図７】ユーザが時間優先を優先項目として選択した際に算出される買い物経路の一例を示す図である。
【図８】ユーザが価格優先を優先項目として選択した際に算出される買い物経路の一例を示す図である。
【図９】ユーザがタイムサービス優先を優先項目として選択した際に算出される買い物経路の一例を示す図である。
【図１０】買い物リスト内に冷凍食品が含まれる場合に算出される買い物経路の一例を示す図である。
【図１１】図１に示す買い物経路誘導システムの応用例を示す模式図である。
【図１２】図１１に示す買い物経路誘導システムの内部構成を示すブロック図である。
【図１３】図１１に示す買い物経路誘導システムの動作を示すフローチャート図である。
【図１４】図１１に示す買い物経路誘導システムにより算出される買い物経路の一例を示す図である。
【図１５】本発明の第２の実施形態となる買い物経路誘導システムの構成を示す模式図である。
【図１６】図１５に示す買い物経路誘導システムの内部構成を示すブロック図である。
【図１７】図１５に示す買い物経路誘導システムの動作を示すフローチャート図である。
【図１８】図１５に示す買い物経路誘導システムの応用例を示す模式図である。
【符号の説明】
【００７２】
１，６１，７１：買い物経路誘導システム
２：冷蔵庫
３：車両
４：献立データベース（ＤＢ）
５：店舗情報データベース（ＤＢ）
６：買い物リスト作成サーバ
１１：食品検出部
１２，２２：表示モニタ
１３：入力装置
１４：操作部
１５，２４，５３，６３：通信部
２１：経路探索部
２３：経路誘導装置
２５：食品検出部
２６：買い忘れ判断部
２７：警報装置
５１：不足食品検出部
５２：リスト作成部
６２：携帯電話機
【図１】
2005172743.tif 000003
【図２】
2005172743.tif 000004
【図３】
2005172743.tif 000005
【図４】
2005172743.tif 000006
【図５】
2005172743.tif 000007
【図６】
2005172743.tif 000008
【図７】
2005172743.tif 000009
【図８】
2005172743.tif 000010
【図９】
2005172743.tif 000011
【図１０】
2005172743.tif 000012
【図１１】
2005172743.tif 000013
【図１２】
2005172743.tif 000014
【図１３】
2005172743.tif 000015
【図１４】
2005172743.tif 000016
【図１５】
2005172743.tif 000017
【図１６】
2005172743.tif 000018
【図１７】
2005172743.tif 000019
【図１８】
2005172743.tif 000020